【事件の表示】
　平成５年特許願第８９９９２号「ストロボ装置」拒絶査定不服審判事件〔平成６年１０月２８日出願公開、特開平６−３０２３８９号〕について、次のとおり審決する。
【結　論】
　本件審判の請求は、成り立たない。
【理　由】
１．手続の経緯・本願発明
　本願は、平成５年４月１６日の出願であって、その請求項１に係る発明は、平成１４年１０月１１日付け手続補正書によって補正された明細書及び図面の記載からみて、その特許請求の範囲の請求項１に記載された次のとおりのものと認める。（以下、「本願発明」という。）
「ストロボの放電発光管（６）を発光させるための電荷を保持するメインコンデンサ（５）と、
　このメインコンデンサ（５）の放電ループ内にて、上記放電発光管（６）と直列に接続されたゲート制御型スイッチング素子（７）と、
　このゲート制御型スイッチング素子（７）のゲート制御電極に直接接続され、該ゲート制御型スイッチング素子（７）への制御信号を出力する出力端を有するＣＰＵ（１）と、
　を具備したストロボ装置であって、
　上記ＣＰＵ（１）は、制御信号として自己の電源電圧値（ＶDD）に略々等しい電圧変化幅（ＶDD−ＧＮＤ）を呈する制御信号を上記出力端に生起する出力回路部を有するものであることを特徴とするストロボ装置。」
　
２．引用刊行物
　これに対して、原査定の拒絶の理由に引用された、本願出願前に頒布された特開平４−１１５２４３号公報（以下、「引用刊行物１」という。）には、第１〜１３図とともに以下のような事項が記載されている。
（１）「この発明はかかる課題を解決するためになされたもので、閃光放電管をスイツチングするのに、高いゲート駆動電圧（＋２０Ｖ〜＋４０Ｖ）で動作するＩＧＢＴに変わつて低いゲート駆動電圧（＋８Ｖ〜＋１２Ｖ）で動作するＩＧＢＴを使用し、これによつてＩＤＢＴ駆動用の専用電源をなくし、回路の簡略化に、また、安価，小型化して製造できるようにした調光式ストロボ装置を得ることを目的とする。」（第３頁左下欄第１４行〜右下欄第２行）
（２）「この発明においては、低いゲート電圧（＋８Ｖ〜＋１２Ｖ程度）で動作するＭＯＳ系デバイスを用いることにより、高いゲート電圧（＋２０Ｖ〜＋４０Ｖ程度）で動作するＭＯＳ系デバイスを用いた調光式ストロボ装置には必要であつたゲート駆動用の専用電源を不要とし、直接カメラセット内のＣＣＤなどの駆動電源（１２Ｖ）等を直接用いてＭＯＳ系デバイスを動作させることができる。」（第４頁左上欄第１２〜１９行）
（３）「１８はカメラセツト信号源（ＣＰＵ等）である。・・・
これと同時にＭＯＳ系デバイス（ＩＧＢＴ）２のゲート電圧は、高周波高電信号Ｖ１が出力されるタイミングには、第２図(b)に示すように＋８Ｖ〜＋１２Ｖ程度の電圧が印加されている状態にしておく。この動作により閃光放電管１内の封入ガスがイオン化されると、閃光放電管１が通電状態になり、エネルギ蓄積用コンデンサ４に蓄積されている電荷が、この蓄積用コンデンサ４と閃光放電管１およびＭＯＳ系デバイス（ＩＧＢＴ）２によつて構成された閉回路で放電し、この放電によつて、閃光放電管１内に第２図(d)に示すような、１００Ａ〜２００Ａ程度の大きな放電電流ＩＣが流れ、この閃光放電管１から閃光が放出される。
　ここでも、このときＭＯＳ系デバイス（ＩＧＢＴ）２に対しては、同時に第２図(b)に示されているように閃光信号源６であるＩＧＢＴ駆動電源（ＣＣＤ等駆動電源）を通じてＩＧＢＴ制御回路１７からゲート電圧であるゲート・エミツタ間電圧ＶＧＥ（＋８Ｖ〜＋１２Ｖ程度）を継続して供給されているため、ＭＯＳ系デバイス（ＩＧＢＴ）２が確実にオン状態になつており、閃光放電管１は極めて安定に閃光放射を行うことができる。
　そして、閃光開始後、閃光放電管１から放射される閃光量が所定値に達すると、閃光信号源５からＭＯＳ系デバイス（ＩＧＢＴ）２を停止する信号が出力され、ＩＧＢＴ制御回路１７は、ＭＯＳ系デバイス（ＩＧＢＴ）２へのゲート電圧を第２図(b)に見られるように供給を停止し、ＭＯＳ系デバイス（ＩＧＢＴ）２は、このゲート電圧の供給停止時点から、オフ状態に移行して、・・・閃光放電管１の閃光放射が停止される。
　なお、上記実施例においては、低電圧駆動のＩＧＢＴで閃光放電管をスイッチ動作させているが、他に低電圧駆動のＭＯＳ系デバイスを用いて構成してもよい。また、上記実施例において、ＩＧＢＴの駆動電流をＣＣＤの駆動電源を用いたが、他の＋８Ｖ〜＋１２Ｖ程度のカメラセツトの電源を用いてもよく、上記実施例と同様の効果を奏する。」（第４頁左下欄第３行〜第５頁左上欄第１９行）
（４）「これらカメラ内のＣＰＵ，ＣＣＤ，モータ等を動作させるためにカメラ内には各種電源電圧が存在しているため、ストロボ装置の駆動系，電源系を新たに作成する必要がなく、ストロボ装置が小さく作成できるからである。」（第７頁右下欄第３〜８行）
（５）第１図には、カメラセツト信号源（ＣＰＵ等）１８内に閃光信号源５及び閃光信号源６（ＣＣＤ駆動電源兼ＩＧＢＴ駆動電源）を有し、これらがＩＧＢＴ制御回路１７に接続される態様が図示されている。
（６）第２図(b)、第４図(b)、第６図(b)、及び第１０図(b)には、ＭＯＳ系デバイス（ＩＧＢＴ）２へのゲート電圧への供給を停止する期間のゲート・エミツタ間電圧ＶＧＥを０Ｖとする態様が図示されている。
　上記（１）〜（４）の記載事項及び第１および２図の図示内容を総合すると、引用刊行物１には、以下の発明（以下、「引用発明」という。）が記載されていると認められる。
「エネルギ蓄積用コンデンサ４と、
　この蓄積用コンデンサ４と閃光放電管１およびＭＯＳ系デバイス（ＩＧＢＴ）２によつて構成され、エネルギ蓄積用コンデンサ４に蓄積されている電荷が放電して、閃光放電管１から閃光が放出される閉回路と、
　ＭＯＳ系デバイス（ＩＧＢＴ）２のゲート電圧を供給するＩＧＢＴ制御回路１７と、
ＩＧＢＴ制御回路１７に接続され、その駆動を制御するとともにＩＧＢＴ駆動電源ともなる閃光信号源５及び６を有するカメラセツト信号源（ＣＰＵ等）１８
　を具備した調光式ストロボ装置。」
　
３．対比・判断
　本願発明と引用発明とを対比すると、その機能または作用等からみて、後者の「閃光放電管１」は前者の「ストロボの放電発光管（６）」に相当し、後者の「調光式ストロボ装置」は前者の「ストロボ装置」に相当する。また、後者は「エネルギ蓄積用コンデンサ４に蓄積されている電荷が放電して閃光放電管１から閃光が放出される」のであるから、後者の「エネルギ蓄積用コンデンサ４」は前者の「ストロボの放電発光管（６）を発光させるための電荷を保持するメインコンデンサ（５）」に相当し、さらに、後者の「蓄積用コンデンサ４と閃光放電管１およびＭＯＳ系デバイス（ＩＧＢＴ）２によつて構成され、エネルギ蓄積用コンデンサ４に蓄積されている電荷が放電して、閃光放電管１から閃光が放出される閉回路」は、その作用からみて、前者の「放電ループ」に相当するものであるから、後者の「ＭＯＳ系デバイス（ＩＧＢＴ）２」は前者の「ゲート制御型スイッチング素子（７）」に相当し、後者の上記閉回路の接続態様は前者の「このメインコンデンサ（５）の放電ループ内にて、上記放電発光管（６）と直列に接続されたゲート制御型スイッチング素子（７）」との接続態様と同様であるといえる。
　そうすると、両者は、
「ストロボの放電発光管（６）を発光させるための電荷を保持するメインコンデンサ（５）と、
　このメインコンデンサ（５）の放電ループ内にて、上記放電発光管（６）と直列に接続されたゲート制御型スイッチング素子（７）と、
　を具備したストロボ装置。」である点で、一致し、以下の点で両者は相違しているものと認められる。
（１）本願発明が「ゲート制御型スイッチング素子（７）のゲート制御電極に直接接続され、該ゲート制御型スイッチング素子（７）への制御信号を出力する出力端を有するＣＰＵ（１）」を有するのに対して、引用発明は、「ＭＯＳ系デバイス（ＩＧＢＴ）２のゲート電圧を供給するＩＧＢＴ制御回路１７と、
ＩＧＢＴ制御回路１７に接続され、その駆動を制御するとともにＩＧＢＴ駆動電源ともなる閃光信号源５及び６を有するカメラセツト信号源（ＣＰＵ等）１８」を有するものである点。
（２）本願発明は、ＣＰＵ（１）の構成として「ＣＰＵ（１）は、制御信号として自己の電源電圧値（ＶDD）に略々等しい電圧変化幅（ＶDD−ＧＮＤ）を呈する制御信号を上記出力端に生起する出力回路部を有するもの」とするのに対して、引用発明はそのよう構成ではない点。
　
　そこで、上記相違点（１）及び（２）について検討する。
ア．相違点（１）について
　引用発明の「カメラセツト信号源（ＣＰＵ等）１８」は、「ＩＧＢＴ制御回路１７」を介して、ＭＯＳ系デバイス（ＩＧＢＴ）２（ゲート制御型スイッチング素子（７））にゲート電圧を供給して駆動するものである。
　一方、引用発明は２．（１）や（２）で摘示するように、低いゲート駆動電圧（＋８Ｖ〜＋１２Ｖ）で動作するＩＧＢＴを使用することにより、カメラセツト信号源（ＣＰＵ等）１８内のＣＣＤなどの駆動電源（１２Ｖ）等を直接用いてＭＯＳ系デバイスを動作させて、回路の簡略化、安価，小型化するものである。
　そして、複数の回路をできるだけ１つの回路基板、さらには１つの集積回路で構成して、小型化、回路や取り付けの簡単化を図ることは、カメラやストロボ装置に限らず回路装置一般に行われていることであって、制御用のＩＣに出力回路のドライバ、さらには出力回路をも内蔵させようとすることも、例えば電源用や電力制御用のＩＣにおいてよく行われることである。
　そうすると、上記のように「カメラセツト信号源（ＣＰＵ等）１８」は制御のためのＣＰＵを有するものであるし、当該信号源１８内におけるＣＣＤなどの駆動電源（１２Ｖ）をＩＧＢＴ制御回路１７と兼用するものであるから、小型化、回路や取り付けの簡単化のために、ＩＧＢＴ制御回路も上記信号源のＣＰＵに内蔵させて、直接、ゲート制御型スイッチング素子（７）を駆動するように、ゲート制御型スイッチング素子（７）のゲート制御電極に直接接続させ、該ゲート制御型スイッチング素子（７）への制御信号を出力する出力端を、ＣＰＵに設けることは当業者が容易になし得ることと認められる。
　
イ．相違点（２）について、
　引用発明において、ＣＣＤなどの駆動電源は１２Ｖであり、ＩＧＢＴのゲート駆動電圧は＋８Ｖ〜＋１２Ｖであるから、ゲートを駆動する回路は当然その電源電圧値にほぼ等しい出力電圧が必要なことは明らかであり、これを確実にターンオフさせるために、より低い電圧となるよう０Ｖに変化させることも、２．（６）で摘示するように引用刊行物でもそのような態様が示唆されるのであって、当業者が普通に想到する程度のことにすぎずない。
　また、一般により高いゲート駆動電圧による駆動が動作速度やスイッチング損失に有利なことは当業者によく知られることといえ、駆動回路においても出力素子のオン抵抗等による電力損を防ぎ、電圧利用率を向上させようとすることも当業者にとって普通になす程度のことといえるのであるから、駆動電源の電源電圧値に略々等しい電圧変化幅を呈する制御信号を出力するようなすことは、当業者にとって通常行う程度の設計的事項と認められる。
　そうすると、上記相違点（１）についてで検討したように、ＣＰＵにＩＧＢＴ制御回路も内蔵させることは当業者が容易になし得ることであり、その際、内蔵させるＩＧＢＴ制御回路をゲート制御型スイッチング素子（７）への制御信号を出力する出力回路部とし、当該出力回路部が生起する制御信号を自己の電源電圧値に略々等しい電圧変化幅を呈する制御信号とすることも当業者が格別の困難性を要することなくなし得ることといえる。
　
　そしてこれら相違点（１）及び（２）を合わせ考えても、本願発明による効果は、格別のものとは認められない。
　
４．むすび
　したがって、本願発明は、引用発明に基いて当業者が容易に発明をすることができたものであるから、特許法第２９条第２項の規定により特許を受けることができない。
　よって、結論のとおり審決する。